(57)【要約】【課題】特定のキー操作をしない限り、タイトル一覧画面に視聴制限タイトルのタイトル名を表示させることができないようにする情報記録再生装置を提供する。【解決手段】選択されたタイトルが視聴制限タイトルに設定された後、第２の記録領域に空きが有ると判定されたとき、第１の記録領域における視聴制限タイトルの記録領域の割り当てを第２の記録領域に対して行えるように管理情報が第１の管理情報から第２の管理情報に変更される。電源オフ状態から電源オン状態になり、タイトル一覧表示操作が行われると、電源オン操作前に特定のキー操作がされたか否かが判定される。電源オン操作前に特定のキー操作がされなかったと判定されたとき、視聴制限タイトルを除いたタイトルのタイトル名を示すタイトル一覧画面が第１の管理情報によりディスプレイ装置に表示される。【選択図】図６
2008210473.tif 000002
【特許請求の範囲】
【請求項１】
記録媒体に情報を記録したり、記録媒体に記録された情報を再生したりする情報記録再生装置において、
記録媒体の記録領域を、通常のタイトルを記録させる第１の記録領域と、視聴制限を施したタイトルを記録させる第２の記録領域とに割り当て、第１の管理情報により第１の記録領域の管理を行うと共に、第２の管理情報により第２の記録領域の管理を行う管理処理手段と、記録媒体に記録されたタイトルの中で視聴制限したいタイトルが選択されたとき、この選択されたタイトルを視聴制限タイトルに設定する視聴制限タイトル設定手段と、前記選択されたタイトルが視聴制限タイトルに設定された後、前記第２の記録領域に空きが有るか否かを前記第２の管理情報により判定する空き領域判定手段と、前記第２の記録領域に空きが有ると判定されたとき、前記第１の記録領域における視聴制限タイトルの記録領域の割り当てを第２の記録領域に対して行えるように管理情報を前記第１の管理情報から前記第２の管理情報に変更する管理情報変更手段とを有する領域管理処理部を備えると共に、
電源オン状態でタイトル一覧表示操作がされた後、電源オン操作前に視聴制限解除を行うための特定のキー操作がされたか否かを判定する特定キー操作判定手段と、前記電源オン操作前に前記特定のキー操作がされたと判定されたとき、前記視聴制限タイトルを含めた全タイトルのタイトル名を示すタイトル一覧画面をディスプレイ装置に表示させる全タイトル一覧画面表示処理手段と、前記電源オン操作前に前記特定のキー操作がされなかったと判定されたとき、前記視聴制限タイトルを除いたタイトルのタイトル名を示すタイトル一覧画面をディスプレイ装置に表示させるタイトル一覧画面表示処理手段とを有するタイトル表示処理部を備えたことを特徴とする情報記録再生装置。
【請求項２】
記録媒体に情報を記録したり、記録媒体に記録された情報を再生したりする情報記録再生装置において、
記録媒体の記録領域を、通常のタイトルを記録させる第１の記録領域と、視聴制限を施したタイトルを記録させる第２の記録領域とに割り当て、第１の管理情報により第１の記録領域の管理を行うと共に、第２の管理情報により第２の記録領域の管理を行う管理処理手段と、記録媒体に記録されたタイトルの中で視聴制限したいタイトルが選択されたとき、この選択されたタイトルを視聴制限タイトルに設定する視聴制限タイトル設定手段と、前記選択されたタイトルが視聴制限タイトルに設定された後、前記第２の記録領域に空きが有るか否かを前記第２の管理情報により判定する空き領域判定手段と、前記第２の記録領域に空きが有ると判定されたとき、前記第１の記録領域における視聴制限タイトルの記録領域の割り当てを第２の記録領域に対して行えるように管理情報を前記第１の管理情報から前記第２の管理情報に変更する管理情報変更手段とを有する領域管理処理部を備えると共に、
電源オン状態で残量表示操作がされた後、または電源オン状態でタイトル一覧表示操作に応答して残量表示指示がされた後、電源オン操作前に視聴制限解除を行うための特定のキー操作がされたか否かを判定する特定キー操作判定手段と、前記電源オン操作前に前記特定のキー操作がされたと判定されたとき、前記第１の記録領域の残量と前記第２の記録領域の残量とを前記第１の管理情報と前記第２の管理情報とにそれぞれ基づいてディスプレイ装置に表示させる全残量表示処理手段と、前記電源オン操作前に前記特定のキー操作がされなかったと判定されたとき、前記第１の記録領域の残量を前記第１の管理情報に基づいてディスプレイ装置に表示させる残量表示処理手段とを有する残量表示処理部を備えたことを特徴とする情報記録再生装置。
【請求項３】
記録媒体に情報を記録したり、記録媒体に記録された情報を再生したりする情報記録再生装置において、
記録媒体の記録領域を、通常のタイトルを記録させる第１の記録領域と、視聴制限を施したタイトルを記録させる第２の記録領域とに割り当て、第１の管理情報により第１の記録領域の管理を行うと共に、第２の管理情報により第２の記録領域の管理を行う管理処理手段と、記録媒体に記録されたタイトルの中で視聴制限したいタイトルが選択されたとき、この選択されたタイトルを視聴制限タイトルに設定する視聴制限タイトル設定手段と、前記選択されたタイトルが視聴制限タイトルに設定された後、前記第２の記録領域に空きが有るか否かを前記第２の管理情報により判定する空き領域判定手段と、前記第２の記録領域に空きが有ると判定されたとき、前記第１の記録領域における視聴制限タイトルの記録領域の割り当てを第２の記録領域に対して行えるように管理情報を前記第１の管理情報から前記第２の管理情報に変更する管理情報変更手段とを有する領域管理処理部を備えると共に、
電源オン状態でタイトル一覧表示操作がされた後、電源オン操作前に視聴制限解除を行うための特定のキー操作がされていたと判定したとき、前記視聴制限タイトルを含めた全タイトルのタイトル名を示すタイトル一覧画面をディスプレイ装置に表示させ、前記電源オン操作前に前記特定のキー操作がされていなかったと判定したときは、前記視聴制限タイトルを除いたタイトルのタイトル名を示すタイトル一覧画面をディスプレイ装置に表示させるタイトル表示処理部を備えたことを特徴とする情報記録再生装置。
【請求項４】
記録媒体に情報を記録したり、記録媒体に記録された情報を再生したりする情報記録再生装置において、
記録媒体の記録領域を、通常のタイトルを記録させる第１の記録領域と、視聴制限を施したタイトルを記録させる第２の記録領域とに割り当て、第１の管理情報により第１の記録領域の管理を行うと共に、第２の管理情報により第２の記録領域の管理を行う管理処理手段と、記録媒体に記録されたタイトルの中で視聴制限したいタイトルが選択されたとき、この選択されたタイトルを視聴制限タイトルに設定する視聴制限タイトル設定手段と、前記選択されたタイトルが視聴制限タイトルに設定された後、前記第２の記録領域に空きが有るか否かを前記第２の管理情報により判定する空き領域判定手段と、前記第２の記録領域に空きが有ると判定されたとき、前記第１の記録領域における視聴制限タイトルの記録領域の割り当てを第２の記録領域に対して行えるように管理情報を前記第１の管理情報から前記第２の管理情報に変更する管理情報変更手段とを有する領域管理処理部を備えると共に、
電源オン状態で残量表示操作がされた後、または電源オン状態でタイトル一覧表示操作に応答して残量表示指示がされた後、電源オン操作前に視聴制限解除を行うための特定のキー操作がされていたと判定したとき、前記第１の記録領域の残量と前記第２の記録領域の残量とを前記第１の管理情報と前記第２の管理情報とにそれぞれ基づいてディスプレイ装置に表示させ、電源オン状態で残量表示操作がされ、電源オン操作前に前記特定のキー操作がされていなかったと判定したとき、前記第１の記録領域の残量を前記第１の管理情報に基づいてディスプレイ装置に表示させる残量表示処理部を備えたことを特徴とする情報記録再生装置。
【請求項５】
前記タイトル表示処理部は、電源オン状態でタイトル一覧表示操作がされた後、電源オン操作前に視聴制限解除を行うための特定のキー操作がされたか否かを判定する特定キー操作判定手段と、前記電源オン操作前に前記特定のキー操作がされたと判定されたとき、前記視聴制限タイトルを含めた全タイトルのタイトル名を示すタイトル一覧画面をディスプレイ装置に表示させる全タイトル一覧画面表示処理手段と、前記電源オン操作前に前記特定のキー操作がされなかったと判定されたとき、前記視聴制限タイトルを除いたタイトルのタイトル名を示すタイトル一覧画面をディスプレイ装置に表示させるタイトル一覧画面表示処理手段とを有することを特徴とする請求項３に記載の情報記録再生装置。
【請求項６】
前記残量表示処理部は、電源オン状態で残量表示操作がされた後、または電源オン状態でタイトル一覧表示操作に応答して残量表示指示がされた後、電源オン操作前に視聴制限解除を行うための特定のキー操作がされたか否かを判定する特定キー操作判定手段と、前記電源オン操作前に前記特定のキー操作がされたと判定されたとき、前記第１の記録領域の残量と前記第２の記録領域の残量とを前記第１の管理情報と前記第２の管理情報とにそれぞれ基づいてディスプレイ装置に表示させる全残量表示処理手段と、前記電源オン操作前に前記特定のキー操作がされなかったと判定されたとき、前記第１の記録領域の残量を前記第１の管理情報に基づいてディスプレイ装置に表示させる残量表示処理手段とを有することを特徴とする請求項４に記載の情報記録再生装置。
【発明の詳細な説明】
【技術分野】
【０００１】
本発明は、記録媒体に情報を記録したり、記録媒体に記録された情報を再生したりする情報記録再生装置に関し、特に、記録したタイトルのうち所望のタイトルを視聴制限することが可能な視聴制限機能を有する情報記録再生装置に関する。
【背景技術】
【０００２】
従来から、この種の情報記録再生装置として、ハードディスクに対して情報の記録／再生を行うハードディスク装置（ハードディスクレコーダ）やＤＶＤ（デジタルバーサタイルディスク）に対して情報の記録／再生を行う光ディスク装置（ＤＶＤレコーダ）などの情報記録再生装置が知られている。
【０００３】
ところで、主となるユーザは、例えば、所望のテレビ番組を情報記録再生装置により記録を行うが、その記録されたテレビ番組の中には、家族の中でも他のユーザや子供に視聴させたくないテレビ番組がある。特に子供にとっては、暴力シーンや猥褻シーンなど、教育上好ましくないシーンが含まれているテレビ番組は、子供には視聴させたくないのが普通である。
【０００４】
そこで、従来から情報記録再生装置においては、ユーザが所望して記録したタイトル（テレビ番組やその他の情報）の中に、家族の中でも他のユーザや子供に視聴させたくないタイトルがあった場合、そのタイトルを視聴できなくする視聴制限機能を有している。即ち、従来の情報記録再生装置においては、例えば、子供に視聴させたくないタイトルを視聴できないように視聴制限機能を設定して、そのタイトルを再生しようとすると、再生を許可するための解除キーを求められるなどして、そのタイトルを視聴させないようにする視聴制限機能を有している。
【特許文献１】特開２００６−１８６９８１号公報
【特許文献２】特開２００６−１６６２６３号公報
【発明の開示】
【発明が解決しようとする課題】
【０００５】
しかし、従来の情報記録再生装置では、タイトル一覧画面（タイトルリスト画面）に、視聴制限タイトルのタイトル名も表示されており、その視聴制限タイトルの存在が分かるため、主となるユーザ以外の子供などのユーザは、視聴制限タイトルを視聴しようとする欲求が生まれてしまい、どうにかして視聴制限タイトルを再生させようとして、解除キーを見破り、視聴制限タイトルが再生されてしまう可能性があると言う課題があった。
【０００６】
そこで、特許文献１の従来技術では、電源投入直後は、視聴が制限された番組（タイトル）を番組一覧（タイトルリスト画面）には表示しないようにしている。また、視聴制限された番組の録画を行ったとしても、視聴制限されていない番組の総数は変化しないようにして、視聴制限されていない番組を録画する領域の空き容量が減らないようにしている。この従来技術は、ハードディスクに記録されている番組について言えば、管理情報の視聴制限の有無に基づいて、グループ分けされて記録される。例えば、ハードディスクに記録されている番組が管理情報の視聴制限が有る場合は、視聴制限用領域に視聴制限の番組を記録し、管理情報の視聴制限が無い場合には、通常番組記録領域に視聴制限が無い番組を記録すると言うように、グループ分けしている。
【０００７】
ところが、通常番組記録領域に記録した視聴制限が無い番組を、視聴制限番組に変更したい場合が生じることがあるが、このような場合、この従来技術では、一旦、通常番組記録領域に記録した視聴制限が無い番組（通常のタイトル）を視聴制限番組（視聴制限タイトル）に変更して、視聴制限番組（視聴制限タイトル）が存在することを隠蔽するための処理については開示されていない。
【０００８】
特許文献２の従来技術では、放送局側や再生機器側の基準に依存することなく、ユーザ自身の基準で番組の内容毎に細かく視聴規制の解除や視聴規制を行うことができるようにしているが、この従来技術も、一旦、通常番組記録領域に記録した視聴制限が無い番組（通常のタイトル）を視聴制限番組（視聴制限タイトル）に変更して、視聴制限番組（視聴制限タイトル）が存在することを隠蔽するための処理については開示されていない。
【０００９】
本発明は、上記のような課題を解決するためになされたもので、特定のキー操作をしない限り、タイトル一覧画面に視聴制限タイトルのタイトル名を表示させることができないようにすると共に、記録した視聴制限が無い番組（通常のタイトル）を視聴制限番組（視聴制限タイトル）に変更した場合でも、視聴制限番組（視聴制限タイトル）が存在することを隠蔽することができる情報記録再生装置を提供することを目的とする。
【課題を解決するための手段】
【００１０】
上記目的を達成するために、請求項１の発明は、記録媒体の記録領域を、通常のタイトルを記録させる第１の記録領域と、視聴制限を施したタイトルを記録させる第２の記録領域とに割り当て、第１の管理情報により第１の記録領域の管理を行うと共に、第２の管理情報により第２の記録領域の管理を行う管理処理手段と、記録媒体に記録されたタイトルの中で視聴制限したいタイトルが選択されたとき、この選択されたタイトルを視聴制限タイトルに設定する視聴制限タイトル設定手段と、前記選択されたタイトルが視聴制限タイトルに設定された後、前記第２の記録領域に空きが有るか否かを前記第２の管理情報により判定する空き領域判定手段と、前記第２の記録領域に空きが有ると判定されたとき、前記第１の記録領域における視聴制限タイトルの記録領域の割り当てを第２の記録領域に対して行えるように管理情報を前記第１の管理情報から前記第２の管理情報に変更する管理情報変更手段とを有する領域管理処理部を備えると共に、電源オン状態でタイトル一覧表示操作がされた後、電源オン操作前に視聴制限解除を行うための特定のキー操作がされたか否かを判定する特定キー操作判定手段と、前記電源オン操作前に前記特定のキー操作がされたと判定されたとき、前記視聴制限タイトルを含めた全タイトルのタイトル名を示すタイトル一覧画面をディスプレイ装置に表示させる全タイトル一覧画面表示処理手段と、前記電源オン操作前に前記特定のキー操作がされなかったと判定されたとき、前記視聴制限タイトルを除いたタイトルのタイトル名を示すタイトル一覧画面をディスプレイ装置に表示させるタイトル一覧画面表示処理手段とを有するタイトル表示処理部を備えたことを特徴とする情報記録再生装置を提供する。
【００１１】
この構成において、管理情報変更手段は、第１の記録領域に記録された当該タイトルを、第２の記録領域に割り当てるため、当該タイトルの管理情報を、第１の記録領域のタイトルを管理する第１の管理情報から第２の記録領域のタイトルを管理する第２の管理情報に変更する。
【００１２】
このような処理を行うため、選択されたタイトルを視聴制限タイトル設定手段により視聴制限タイトルに設定する。前記選択されたタイトルが視聴制限タイトルに設定された後、空き領域判定手段は、第２の記録領域に空きが有るか否かを第２の管理情報により判定し、第２の記録領域に空きが有ると判定したとき、管理情報変更手段は、第１の記録領域における視聴制限タイトルの記録領域の割り当てを第２の記録領域に対して行えるように管理情報を第１の管理情報から第２の管理情報に変更する。
【００１３】
このような処理が終わった後、電源オフ状態で、特定のキー操作を行ったとき、特定キー操作判定手段は、電源オン操作前に視聴制限解除を行うための特定のキー操作がされたと判定する。一方、特定のキー操作がされてないときは、特定キー操作判定手段は、特定のキー操作がされてないと判定する。
【００１４】
電源がオン状態のとき、タイトル一覧表示操作が行われると、特定キー操作判定手段は、電源オン操作前に視聴制限解除を行うための特定のキー操作がされたか否かを判定する。電源オン操作前に特定のキー操作がされたと判定されたとき、全タイトル一覧画面表示処理手段は、視聴制限タイトルを含めた全タイトルのタイトル名を示すタイトル一覧画面をディスプレイ装置に表示させる。一方、電源オン操作前に特定のキー操作がされなかったと判定されたとき、タイトル一覧画面表示処理手段は、視聴制限タイトルを除いたタイトルのタイトル名を示すタイトル一覧画面をディスプレイ装置に表示させる。
【００１５】
この構成によれば、特定のキー操作をしない限り、タイトル一覧画面に視聴制限タイトルのタイトル名が表示されないので、その視聴制限タイトルの存在を、主となるユーザ以外の子供などのユーザには、知られることがなく、これにより、解除キーを見破り、視聴制限タイトルが再生されることを防止できる。
【００１６】
請求項２の発明は、記録媒体の記録領域を、通常のタイトルを記録させる第１の記録領域と、視聴制限を施したタイトルを記録させる第２の記録領域とに割り当て、第１の管理情報により第１の記録領域の管理を行うと共に、第２の管理情報により第２の記録領域の管理を行う管理処理手段と、記録媒体に記録されたタイトルの中で視聴制限したいタイトルが選択されたとき、この選択されたタイトルを視聴制限タイトルに設定する視聴制限タイトル設定手段と、前記選択されたタイトルが視聴制限タイトルに設定された後、前記第２の記録領域に空きが有るか否かを前記第２の管理情報により判定する空き領域判定手段と、前記第２の記録領域に空きが有ると判定されたとき、前記第１の記録領域における視聴制限タイトルの記録領域の割り当てを第２の記録領域に対して行えるように管理情報を前記第１の管理情報から前記第２の管理情報に変更する管理情報変更手段とを有する領域管理処理部を備えると共に、電源オン状態で残量表示操作がされた後、または電源オン状態でタイトル一覧表示操作に応答して残量表示指示がされた後、電源オン操作前に視聴制限解除を行うための特定のキー操作がされたか否かを判定する特定キー操作判定手段と、前記電源オン操作前に前記特定のキー操作がされたと判定されたとき、前記第１の記録領域の残量と前記第２の記録領域の残量とを前記第１の管理情報と前記第２の管理情報とにそれぞれ基づいてディスプレイ装置に表示させる全残量表示処理手段と、前記電源オン操作前に前記特定のキー操作がされなかったと判定されたとき、前記第１の記録領域の残量を前記第１の管理情報に基づいてディスプレイ装置に表示させる残量表示処理手段とを有する残量表示処理部を備えたことを特徴とする情報記録再生装置を提供する。
【００１７】
この構成において、管理情報変更手段は、第１の記録領域に記録された当該タイトルを、第２の記録領域に割り当てるため、当該タイトルの管理情報を、第１の記録領域のタイトルを管理する第１の管理情報から第２の記録領域のタイトルを管理する第２の管理情報に変更する。
【００１８】
このような処理を行うため、選択されたタイトルを視聴制限タイトル設定手段により視聴制限タイトルに設定する。前記選択されたタイトルが視聴制限タイトルに設定された後、空き領域判定手段は、第２の記録領域に空きが有るか否かを第２の管理情報により判定し、第２の記録領域に空きが有ると判定したとき、管理情報変更手段は、第１の記録領域における視聴制限タイトルの記録領域の割り当てを第２の記録領域に対して行えるように管理情報を第１の管理情報から第２の管理情報に変更する。
【００１９】
このような処理が終わった後、電源オフ状態で、特定のキー操作を行ったとき、特定キー操作判定手段は、電源オン操作前に視聴制限解除を行うための特定のキー操作がされたと判定する。一方、特定のキー操作がされてないときは、特定キー操作判定手段は、特定のキー操作がされてないと判定する。
【００２０】
電源オン状態で、残量表示操作がされた後、またはタイトル一覧表示操作に応答して残量表示指示がされた後、特定キー操作判定手段は、電源オン操作前に視聴制限解除を行うための特定のキー操作がされたか否かを判定する。電源オン操作前に特定のキー操作がされたと判定されたとき、全残量表示処理手段は、第１の記録領域の残量と第２の記録領域の残量とを、第１の管理情報と第２の管理情報とにそれぞれ基づいてディスプレイ装置に表示させる。電源オン操作前に特定のキー操作がされなかったと判定されたときは、残量表示処理手段は、第１の記録領域の残量を第１の管理情報に基づいてディスプレイ装置に表示させる。
【００２１】
この構成によれば、記録した視聴制限が無い番組（通常のタイトル）を視聴制限番組（視聴制限タイトル）に変更した場合でも、電源オン操作前に特定のキー操作がされなかったときは、通常のタイトルを記録する第１の記録領域に対する空きの残量しか表示させないので、空き残量から視聴制限タイトルが存在することが推測されることがなくなって、視聴制限タイトルが存在することを隠蔽することができ、これにより、解除キーを見破り、視聴制限タイトルが再生されることを防止できる。
【００２２】
請求項３の発明は、記録媒体に情報を記録したり、記録媒体に記録された情報を再生したりする情報記録再生装置において、記録媒体の記録領域を、通常のタイトルを記録させる第１の記録領域と、視聴制限を施したタイトルを記録させる第２の記録領域とに割り当て、第１の管理情報により第１の記録領域の管理を行うと共に、第２の管理情報により第２の記録領域の管理を行う管理処理手段と、記録媒体に記録されたタイトルの中で視聴制限したいタイトルが選択されたとき、この選択されたタイトルを視聴制限タイトルに設定する視聴制限タイトル設定手段と、前記選択されたタイトルが視聴制限タイトルに設定された後、前記第２の記録領域に空きが有るか否かを前記第２の管理情報により判定する空き領域判定手段と、前記第２の記録領域に空きが有ると判定されたとき、前記第１の記録領域における視聴制限タイトルの記録領域の割り当てを第２の記録領域に対して行えるように管理情報を前記第１の管理情報から前記第２の管理情報に変更する管理情報変更手段とを有する領域管理処理部を備えると共に、電源オン状態でタイトル一覧表示操作がされた後、電源オン操作前に視聴制限解除を行うための特定のキー操作がされていたと判定したとき、前記視聴制限タイトルを含めた全タイトルのタイトル名を示すタイトル一覧画面をディスプレイ装置に表示させ、前記電源オン操作前に前記特定のキー操作がされていなかったときは、前記視聴制限タイトルを除いたタイトルのタイトル名を示すタイトル一覧画面をディスプレイ装置に表示させるタイトル表示処理部を備えたことを特徴とする情報記録再生装置を提供する。
【００２３】
この構成において、管理情報変更手段は、第１の記録領域に記録された当該タイトルを、第２の記録領域に割り当てるため、当該タイトルの管理情報を、第１の記録領域のタイトルを管理する第１の管理情報から第２の記録領域のタイトルを管理する第２の管理情報に変更する。
【００２４】
このような処理を行うため、選択されたタイトルを視聴制限タイトル設定手段により視聴制限タイトルに設定する。前記選択されたタイトルが視聴制限タイトルに設定された後、空き領域判定手段は、第２の記録領域に空きが有るか否かを第２の管理情報により判定し、第２の記録領域に空きが有ると判定したとき、管理情報変更手段は、第１の記録領域における視聴制限タイトルの記録領域の割り当てを第２の記録領域に対して行えるように管理情報を第１の管理情報から第２の管理情報に変更する。
【００２５】
このような処理が終わった後、電源オフ状態で、タイトル一覧表示操作がされた後、タイトル表示処理部は、電源オン操作前に特定のキー操作がされていたと判定したとき、視聴制限タイトルを含めた全タイトルのタイトル名を示すタイトル一覧画面をディスプレイ装置に表示させる。また、タイトル表示処理部は、電源オン操作前に特定のキー操作がされなかったと判定したとき、視聴制限タイトルを除いたタイトルのタイトル名を示すタイトル一覧画面をディスプレイ装置に表示させる。
【００２６】
この構成によれば、記録した視聴制限が無い番組（通常のタイトル）を視聴制限番組（視聴制限タイトル）に変更した場合でも、電源オン操作前に特定のキー操作がされなかったときは、通常のタイトルを記録する第１の記録領域に対する空きの残量しか表示させないので、視聴制限番組（視聴制限タイトル）が存在することを隠蔽することができ、これにより、解除キーを見破り、視聴制限タイトルが再生されることを防止できる。
【００２７】
請求項４の発明は、記録媒体の記録領域を、通常のタイトルを記録させる第１の記録領域と、視聴制限を施したタイトルを記録させる第２の記録領域とに割り当て、第１の管理情報により第１の記録領域の管理を行うと共に、第２の管理情報により第２の記録領域の管理を行う管理処理手段と、記録媒体に記録されたタイトルの中で視聴制限したいタイトルが選択されたとき、この選択されたタイトルを視聴制限タイトルに設定する視聴制限タイトル設定手段と、前記選択されたタイトルが視聴制限タイトルに設定された後、前記第２の記録領域に空きが有るか否かを前記第２の管理情報により判定する空き領域判定手段と、前記第２の記録領域に空きが有ると判定されたとき、前記第１の記録領域における視聴制限タイトルの記録領域の割り当てを第２の記録領域に対して行えるように管理情報を前記第１の管理情報から前記第２の管理情報に変更する管理情報変更手段とを有する領域管理処理部を備えると共に、電源オン状態で残量表示操作がされた後、または電源オン状態でタイトル一覧表示操作に応答して残量表示指示がされた後、電源オン操作前に視聴制限解除を行うための特定のキー操作がされていたと判定したとき、前記第１の記録領域の残量と前記第２の記録領域の残量とを前記第１の管理情報と前記第２の管理情報とにそれぞれ基づいてディスプレイ装置に表示させ、電源オン状態で残量表示操作がされ、電源オン操作前に前記特定のキー操作がされていなかったと判定したとき、前記第１の記録領域の残量を前記第１の管理情報に基づいてディスプレイ装置に表示させる残量表示処理部を備えたことを特徴とする情報記録再生装置を提供する。
【００２８】
この構成において、管理情報変更手段は、第１の記録領域に記録された当該タイトルを、第２の記録領域に割り当てるため、当該タイトルの管理情報を、第１の記録領域のタイトルを管理する第１の管理情報から第２の記録領域のタイトルを管理する第２の管理情報に変更する。
【００２９】
このような処理を行うため、選択されたタイトルを視聴制限タイトル設定手段により視聴制限タイトルに設定する。前記選択されたタイトルが視聴制限タイトルに設定された後、空き領域判定手段は、第２の記録領域に空きが有るか否かを第２の管理情報により判定し、第２の記録領域に空きが有ると判定したとき、管理情報変更手段は、第１の記録領域における視聴制限タイトルの記録領域の割り当てを第２の記録領域に対して行えるように管理情報を第１の管理情報から第２の管理情報に変更する。
【００３０】
このような処理が終わった後、電源オフ状態で、特定のキー操作を行ったとき、特定キー操作判定手段は、電源オン操作前に視聴制限解除を行うための特定のキー操作がされたと判定する。一方、特定のキー操作がされてないときは、特定キー操作判定手段は、特定のキー操作がされてないと判定する。
【００３１】
電源オン状態で、残量表示操作がされた後、またはタイトル一覧表示操作に応答して残量表示指示がされた後、残量表示処理部は、電源オン操作前に特定のキー操作がされたと判定したとき、第１の記録領域の残量と第２の記録領域の残量とを、第１の管理情報と第２の管理情報とにそれぞれ基づいてディスプレイ装置に表示させる。また、残量表示処理部は、電源オン操作前に特定のキー操作がされなかったと判定したときは、第１の記録領域の残量を、第１の管理情報に基づいてディスプレイ装置に表示させる。
【００３２】
この構成によれば、記録した視聴制限が無い番組（通常のタイトル）を視聴制限番組（視聴制限タイトル）に変更した場合でも、電源オン操作前に特定のキー操作がされなかったときは、通常のタイトルを記録する第１の記録領域に対する空きの残量しか表示させないので、空き残量から視聴制限タイトルが存在することが推測されることがなくなって、視聴制限タイトルが存在することを隠蔽することができ、これにより、解除キーを見破り、視聴制限タイトルが再生されることを防止できる。
【００３３】
請求項５の発明は、請求項３の発明において、前記タイトル表示処理部は、電源オン状態でタイトル一覧表示操作がされた後、電源オン操作前に視聴制限解除を行うための特定のキー操作がされたか否かを判定する特定キー操作判定手段と、前記電源オン操作前に前記特定のキー操作がされたと判定されたとき、前記視聴制限タイトルを含めた全タイトルのタイトル名を示すタイトル一覧画面をディスプレイ装置に表示させる全タイトル一覧画面表示処理手段と、前記電源オン操作前に前記特定のキー操作がされなかったと判定されたとき、前記視聴制限タイトルを除いたタイトルのタイトル名を示すタイトル一覧画面をディスプレイ装置に表示させるタイトル一覧画面表示処理手段とを有することを特徴とする。
【００３４】
したがって、前記タイトル表示処理部は、特定キー操作判定処理、全タイトル一覧画面表示処理、およびタイトル一覧画面表示処理を実現でき、これにより、特定のキー操作をしない限り、タイトル一覧画面に視聴制限タイトルのタイトル名を表示させることができなくなる。
【００３５】
請求項６の発明は、請求項４の発明において、前記残量表示処理部は、電源オン状態で残量表示操作がされた後、または電源オン状態でタイトル一覧表示操作に応答して残量表示指示がされた後、電源オン操作前に視聴制限解除を行うための特定のキー操作がされたか否かを判定する特定キー操作判定手段と、前記電源オン操作前に前記特定のキー操作がされたと判定されたとき、前記第１の記録領域の残量と前記第２の記録領域の残量とを前記第１の管理情報と前記第２の管理情報とにそれぞれ基づいてディスプレイ装置に表示させる全残量表示処理手段と、前記電源オン操作前に前記特定のキー操作がされなかったと判定されたとき、前記第１の記録領域の残量を前記第１の管理情報に基づいてディスプレイ装置に表示させる残量表示処理手段とを有することを特徴とする。
【００３６】
したがって、前記残量表示処理部は、特定キー操作判定処理、全残量表示処理処理、および残量表示処理を実現でき、これにより、記録した通常のタイトルを視聴制限タイトルに変更した場合でも、電源オン操作前に特定のキー操作がされなかったときは、通常のタイトルを記録する第１の記録領域に対する空きの残量しかディスプレイ装置には表示させなくなる。
【発明の効果】
【００３７】
以上のように本発明によれば、特定のキー操作をしない限り、タイトル一覧画面に視聴制限タイトルのタイトル名を表示しないようにしたので、その視聴制限タイトルの存在を、主となるユーザ以外の子供などのユーザには、知られることがなく、これにより、解除キーを見破り、視聴制限タイトルが再生されることを防止できる。
【００３８】
また、本発明によれば、記録した通常のタイトルを視聴制限タイトルに変更した場合でも、電源オン操作前に特定のキー操作がされなかったときは、通常のタイトルを記録する第１の記録領域に対する空きの残量しか表示させないようにしたので、空き残量から視聴制限タイトルが存在することが推測されることがなくなって、視聴制限タイトルが存在することを隠蔽することができ、これにより、解除キーを見破り、視聴制限タイトルが再生されることを防止できる。
【発明を実施するための最良の形態】
【００３９】
以下、添付図面を参照しつつ、本発明の実施の形態について説明する。図１は本発明の一実施形態に係る情報記録再生装置としてのハードディスク装置の構成を示すブロック図である。ここでは、本発明の特徴とするタイトル視聴制限機能を、ハードディスク装置に採用した場合の実施形態を説明するが、光ディスク装置（ＤＶＤレコーダ）に採用しても、同様な効果が得られる。
【００４０】
図１において、ハードディスク装置Ａは、アンテナ１ａを介してテレビ放送信号を受信して所望の放送局のテレビ放送信号を選局するチューナ１、このチューナ１からの映像音声信号を復調する復調部２、外部から入力されてくる映像音声信号を復調する復調部３、復調部２または復調部３で復調された映像音声信号をＭＰＥＧ方式で圧縮処理する圧縮処理部４、前記圧縮処理された映像音声データをＨＤ（ハードディスク）５ａに書き込んだりＨＤ５ａに記録された映像音声データを読み出したりするＨＤＤ（ハードディスクドライブ）５、およびＨＤＤ５によりＨＤ５ａから読み出した映像音声データを元の映像音声データに復元する伸張処理部６を備えている。
【００４１】
また、ハードディスク装置Ａは、前記復元した映像音声データのうち映像データ（システムコントローラ１０からのタイトルリスト画面のデータやメッセージデータなどがある場合はタイトルリスト画面のデータやメッセージデータなどを重畳した映像データ）を表示可能な映像信号に変換してテレビ受信機８のディスプレイ装置８１に供給するＯＳＤ（オンスクリーンディスプレイ）部７、伸張処理部６で復元した映像音声データのうち音声データをデジタル信号からアナログ信号に変換してテレビ受信機８のスピーカ８３に接続された音声出力装置８２に音声信号を供給するＤ／Ａ変換部９、圧縮処理部４による圧縮処理時や伸張処理部６による伸張処理時に映像音声データを一時的に格納するＲＡＭ１５、装置全体の動作を制御するシステムコントローラ１０、このシステムコントローラ１０に各種キー操作信号を入力する本体のキー入力部１１、リモコン１３からの赤外線の操作信号を受信し電気信号の操作信号に変換してシステムコントローラ１０に入力する受光部１２、およびシステムコントローラ１０の処理に必要なプログラムやデータなどが記録されたフラッシュメモリ１４を備えている。
【００４２】
システムコントローラ１０は、本実施形態の特徴とする構成要素として、ＨＤ５ａの記録領域を、通常のタイトルを記録させる第１の記録領域と、視聴制限を施したタイトル（視聴制限タイトル）を記録させる第２の記録領域とに割り当て、第１の管理情報により第１の記録領域の管理を行うと共に、第２の管理情報により第２の記録領域の管理を行う管理処理手段と、ＨＤ５ａに記録されたタイトルの中で視聴制限したいタイトルが選択されたとき、この選択されたタイトルを視聴制限タイトルに設定する視聴制限タイトル設定手段と、前記選択されたタイトルが視聴制限タイトルに設定された後、前記第２の記録領域に空きが有るか否かを前記第２の管理情報により判定する空き領域判定手段と、前記第２の記録領域に空きが有ると判定されたとき、前記第１の記録領域における視聴制限タイトルの記録領域の割り当てを第２の記録領域に対して行えるように管理情報を前記第１の管理情報から前記第２の管理情報に変更する管理情報変更手段とを有する領域管理処理部１０１を備えている。
【００４３】
また、システムコントローラ１０は、電源オン状態でタイトル一覧表示操作がされた後、電源オン操作前に視聴制限解除を行うための特定のキー操作がされたか否かを判定する特定キー操作判定手段と、前記電源オン操作前に前記特定のキー操作がされたと判定されたとき、前記視聴制限タイトルを含めた全タイトルのタイトル名を示すタイトル一覧画面をディスプレイ装置８１に表示させる全タイトル一覧画面表示処理手段と、前記電源オン操作前に前記特定のキー操作がされなかったと判定されたとき、前記視聴制限タイトルを除いたタイトルのタイトル名を示すタイトル一覧画面をディスプレイ装置８１に表示させるタイトル一覧画面表示処理手段とを有するタイトル表示処理部１０２を備えている。
【００４４】
更に、システムコントローラ１０は、電源オン状態で残量表示操作がされた後、または電源オン状態でタイトル一覧表示操作に応答して残量表示指示がされた後、電源オン操作前に視聴制限解除を行うための特定のキー操作がされたか否かを判定する特定キー操作判定手段と、前記電源オン操作前に前記特定のキー操作がされたと判定されたとき、前記第１の記録領域の残量と前記第２の記録領域の残量とを前記第１の管理情報と前記第２の管理情報とにそれぞれ基づいてディスプレイ装置８１に表示させる全残量表示処理手段と、前記電源オン操作前に前記特定のキー操作がされなかったと判定されたとき、前記第１の記録領域の残量を前記第１の管理情報に基づいてディスプレイ装置８１に表示させる残量表示処理手段とを有する残量表示処理部１０３を備えている。
【００４５】
図２は本実施形態においてリモコンのキー配置の一例を示す図である。図２において、リモコン１３の操作パネル２００には、ＴＶ電源キー２１１、入力切換キー２１２、ＨＤＤ電源キー２１３、音量キー２１４、複数の数字キー２１５、再生リストキー２１６、画面表示キー２１７、上方向きー２１８、下方向キー２１９、左方向キー２２０、右方向キー２２１、決定キー２２２、クリアキー２２３、記録キー２２４、一時停止キー２２５、早戻しキー２２６、停止キー２２７、再生キー２２８、早送りキー２２９などが配置されている。なお、ここでのキーの配置および個数は一例であるので、これに限ることはない。
【００４６】
図３は本実施形態においてディスプレイ装置に表示されるタイトル一覧画面としてのタイトルリスト画面の一例を示す表示画面図である。このタイトルリスト画面には、記録されたタイトルのタイトル名と、各タイトルの記録年月日と、タイトル番号（Ｎｏ，）とが表示されている。また、タイトル名の中で、カーソル４２で指示されたタイトル名のサムネイル画像４１が表示されている。
【００４７】
図４は本実施形態においてディスプレイ装置に表示されるタイトル一覧画面としてのタイトルリスト画面の一例を示す表示画面図である。このタイトルリスト画面８１ａには、記録されたタイトルのタイトル名と、各タイトルの記録年月日と、タイトル番号（Ｎｏ，）と、記録モードがＳＰである場合の残り記録可能時間とが表示されている。また、タイトル名の中で、カーソル４２で指示されたタイトル名のサムネイル画像４１が表示されている。
【００４８】
図５と図６は本実施形態においてタイトル一覧画面の表示や記録媒体の空き残量の表示の制御を説明するためのフローチャートである。このフローチャートおよび図１〜図４を参照してタイトル一覧画面の表示や記録媒体の空き残量の表示の制御について説明する。
【００４９】
リモコン１３のＴＶ電源キー２１１の押下によりテレビ受信機８の電源がオンされ、リモコン１３のＨＤＤ電源キー２１３の押下によりハードディスク装置Ａの電源がオンされた後、ＨＤ５ａに記録されたテレビ番組（以下、タイトルと言う）の中で、ユーザが他の人、例えば、子供に視聴させたくないタイトルが有った場合、そのタイトルに視聴制限を施し、例えば、タイトルリスト画面８１ａから視聴制限タイトルのタイトル名を消去するため、ユーザは、リモコン１３の上方向きー２１８、下方向キー２１９、決定キー２２２などの操作により、視聴制限タイトルに変更するタイトルを選択する。
【００５０】
例えば、タイトルリスト画面８１ａにおいて、カーソル４２で選択されているタイトルのタイトル名が「オーラのパワー」であれば、このタイトル名「オーラのパワー」が消去されることになる。そして、普通のタイトルを記録させるＨＤ５ａの第１の記録領域（全記録領域の例えば７０パーセント）に記録された「オーラのパワー」のタイトルを、ＨＤ５ａの視聴制限タイトル記録領域である第２の記録領域（全記録領域の例えば３０パーセント）に割り当てるため、「オーラのパワー」のタイトルの管理情報を、第１の記録領域のタイトルを管理する第１の管理情報から第２の記録領域のタイトルを管理する第２の管理情報に変更する。
【００５１】
このような処理を行うため、ハードディスク装置Ａにおけるシステムコントローラ１０の領域管理処理部１０１では、前記のようなリモコン１３の操作で、視聴制限タイトルに変更するタイトルが選択されたことを検知すると（ステップＳ１）、選択されたタイトルを領域管理処理部１０１の視聴制限タイトル設定手段により視聴制限タイトルに設定する（ステップＳ２）。
【００５２】
前記選択されたタイトルが視聴制限タイトルに設定された後、領域管理処理部１０１の空き領域判定手段は、ＨＤ５ａの第２の記録領域に空きが有るか否かを第２の管理情報により判定する（ステップＳ３）。第２の記録領域に空きが有ると判定されたとき、領域管理処理部１０１の管理情報変更手段は、第１の記録領域における視聴制限タイトルの記録領域の割り当てを第２の記録領域に対して行えるように管理情報を第１の管理情報から第２の管理情報に変更する（ステップＳ４）。第２の記録領域に空きが無いと判定されたときは、本処理は終了するが、第２の記録領域に記録されている視聴制限タイトルのうち不要なタイトルを消去すれば、第２の記録領域に空き領域が生じることになる。
【００５３】
このような処理が終わった後、ユーザがリモコン１３のＨＤＤ電源キー２１３を押下すると、システムコントローラ１０は、装置の電源をオフさせる電源オフ操作がされたことを検知し（ステップＳ５）、電源遮断処理を行う（ステップＳ６）。これにより、ハードディスク装置Ａは、電源オフ状態になる（ステップＳ７）。なお、ここで言う電源オフ状態とは、待機電源はオンしているが、主電源がオフしている状態を言う。
【００５４】
このようにハードディスク装置Ａが電源オフ状態のとき、リモコン１３の特定のキー操作、例えば、再生キー２２８を押しながら、他のキー（例えば、数字キー２，８）を操作するような、ユーザ以外の人が普通に操作しないようなキー操作を行ったとき、タイトル表示処理部１０２の特定キー操作判定手段は、電源オン操作前に視聴制限解除を行うための特定のキー操作がされたと判定する（ステップＳ８）。一方、特定のキー操作がされてないときは、タイトル表示処理部１０２の特定キー操作判定手段は、特定のキー操作がされてないと判定する（ステップＳ８）。
【００５５】
ハードディスク装置Ａが電源オフ状態のときに、リモコン１３のＨＤＤ電源キー２１３が押下されると、システムコントローラ１０は、電源オン操作されたことを検知し（ステップＳ９）、電源起動処理を行う（ステップＳ１０）、これにより、ハードディスク装置Ａは電源オン状態になる（ステップＳ１１）。
【００５６】
ここで、例えば、タイトルリスト画面８１ａをディスプレイ装置８１に表示させるため、ユーザはリモコン１３の再生リストキー２１６を押下すると、タイトル表示処理部１０２は、タイトル一覧表示操作がされたことを検知し（ステップＳ１２）、タイトル表示処理部１０２の特定キー操作判定手段は、電源オン操作前に視聴制限解除を行うための特定のキー操作がされたか否かを判定する（ステップＳ１３）。
【００５７】
電源オン操作前に特定のキー操作がされたと判定されたとき、タイトル表示処理部１０２の全タイトル一覧画面表示処理手段は、ＨＤＤ５を介してＨＤ５ａから視聴制限タイトルを含めた全タイトルのタイトル名のデータを読み出し、ＯＳＤ部７でＯＳＤ処理して、全タイトル名を示すタイトル一覧画面（例えばタイトルリスト画面８１ａ）をディスプレイ装置８１に表示させる（ステップＳ１４）。
【００５８】
一方、電源オン操作前に特定のキー操作がされなかったと判定されたとき、視聴制限タイトルを除いたタイトルのタイトル名を示すタイトル一覧画面（例えば、タイトルリスト画面８１ａのタイトル名「オーラのパワー」を消去したタイトルリスト画面）をディスプレイ装置８１に表示させる（ステップＳ１５）。なお、タイトルリスト画面８１ａのタイトル名「オーラのパワー」を消去したタイトルリスト画面では、タイトル名「オーラのパワー」が消去された場合、タイトル名「オーラのパワー」が消去されたことが、主となるユーザ以外の子供などのユーザに知られないように、タイトル名「オーラのパワー」以降のタイトル番号が繰り上がることになる。
【００５９】
ステップＳ１４またはステップＳ１５の処理の後、リモコン１３の再生リストキー２１６が再び押下されると、タイトル表示処理部１０２は、表示消去の操作されたことを検知し（ステップＳ１６）、これにより、タイトルリスト画面を消去する（ステップＳ１７）。
【００６０】
次に、ＨＤ５ａの空き残量をディスプレイ装置８１に表示させる処理について説明する。
【００６１】
電源オン状態で、残量表示処理部１０３の特定キー操作判定手段は、リモコン１３の画面表示キー２１７の押下による残量表示操作を検知した（ステップＳ１８）後、または電源オン状態でタイトル一覧表示操作（ステップＳ１２）に応答して残量表示指示がされた後、電源オン操作前に視聴制限解除を行うための特定のキー操作がされたか否かを判定する（ステップＳ１９）。
【００６２】
なお、電源オン状態でタイトル一覧表示操作（ステップＳ１２）に応答して残量表示指示がさせたい場合は、セットアップ画面での操作で、タイトルリスト画面がディスプレイ装置８１に表示された際に、ＨＤ５ａの残量も表示できるように予め設定しておく。例えば、図４に示すタイトルリスト画面８１ｂには、ＨＤ５ａの空き残量を示す残り記録可能時間が表示されている。ＨＤ５ａの空き残量を示す残り記録可能時間は、必ずしも、タイトルリスト画面８１ｂ上に表示させなくても良く、テレビ番組の映像が表示されているときに、ＯＳＤ表示させても良い。
【００６３】
電源オン操作前に特定のキー操作がされたと判定されたとき、残量表示処理部１０３の全残量表示処理手段は、第１の記録領域の残量と第２の記録領域の残量とを第１の管理情報と第２の管理情報とにそれぞれ基づいてディスプレイ装置８１に表示させる（ステップＳ２０）。電源オン操作前に特定のキー操作がされなかったと判定されたときは、残量表示処理部１０３の残量表示処理手段は、第１の記録領域の残量を第１の管理情報に基づいてディスプレイ装置８１に表示させる（ステップＳ２１）。
【００６４】
ステップＳ２０またはステップＳ２１の処理の後、残量表示処理部１０３は、リモコン１３による残量表示消去の操作、この場合、リモコン１３の画面表示キー２１７が再び押下されたことを検知すると（ステップＳ２２）、残量の表示を消去する（ステップＳ２３）。
【００６５】
以上説明したように本実施形態によれば、特定のキー操作をしない限り、タイトル一覧画面に視聴制限タイトルのタイトル名を表示しないようにしたので、その視聴制限タイトルの存在を、主となるユーザ以外の子供などのユーザには、知られることがなく、これにより、解除キーを見破り、視聴制限タイトルが再生されることを防止できる。また、記録した通常のタイトルを視聴制限タイトルに変更した場合でも、電源オン操作前に特定のキー操作がされなかったときは、通常のタイトルを記録する第１の記録領域に対する空きの残量しか表示させないようにしたので、空き残量から視聴制限タイトルが存在することが推測されることがなくなって、視聴制限タイトルが存在することを隠蔽することができ、これにより、解除キーを見破り、視聴制限タイトルが再生されることを防止できる。
【産業上の利用可能性】
【００６６】
本発明は、ハードディスク装置や光ディスク装置などの情報記録再生装置における視聴制限機能に利用可能であり、主となるユーザ以外の子供などのユーザによって視聴制限タイトルが再生されることを防止できる。
【図面の簡単な説明】
【００６７】
【図１】本発明の一実施形態に係る情報記録再生装置としてのハードディスク装置の構成を示すブロック図である。
【図２】前記実施形態においてリモコンのキー配置の一例を示す図である。
【図３】前記実施形態においてディスプレイ装置に表示されるタイトル一覧画面としてのタイトルリスト画面の一例を示す表示画面図である。
【図４】前記実施形態においてディスプレイ装置に表示されるタイトル一覧画面としてのタイトルリスト画面の一例を示す表示画面図である。
【図５】前記実施形態においてタイトル一覧画面の表示や記録媒体の空き残量の表示の制御を説明するためのフローチャートである。
【図６】前記実施形態においてタイトル一覧画面の表示や記録媒体の空き残量の表示の制御を説明するための図５のフローチャートの続きを示すフローチャートである。
【符号の説明】
【００６８】
Ａ    ハードディスク装置（情報記録再生装置）
５ａ    ハードディスク（記録媒体）
８１    ディスプレイ装置
１０１    領域管理処理部
１０２    タイトル表示処理部
１０３    残量表示処理部
【図１】
2008210473.tif 000003
【図２】
2008210473.tif 000004
【図３】
2008210473.tif 000005
【図４】
2008210473.tif 000006
【図５】
2008210473.tif 000007
【図６】
2008210473.tif 000008